(57)【要約】【課題】出荷を効率的に行うことができる。【解決手段】情報処理システムは、農作物の流通を管理する情報処理システムにおいて、複数の生産者について、生産者ごとに当該生産者の農作物の出荷予定量を含む、生産情報を記憶する記憶部と、一又は複数の流通業者から、発注ごとに農作物の発注量を含む、発注情報を取得する取得部と、前記発注情報と前記生産情報に基づいて、少なくとも１つの発注に対して、複数の生産者を出荷調整生産者として選択し、選択した出荷調整生産者各々への農作物の出荷発注量を決定する決定部と、前記出荷調整生産者各々に対して、当該出荷調整生産者の前記出荷発注量を送信する送信情報を生成する送信情報生成部と、を備える。【選択図】図１
2020135633.tif 000002
【特許請求の範囲】
【請求項１】
農作物の流通を管理する情報処理システムにおいて、
複数の生産者について、生産者ごとに当該生産者の農作物の出荷予定量を含む、生産情報を記憶する記憶部と、
一又は複数の流通業者から、発注ごとに農作物の発注量を含む、発注情報を取得する取得部と、
前記発注情報と前記生産情報に基づいて、少なくとも１つの発注に対して、複数の生産者を出荷調整生産者として選択し、選択した出荷調整生産者各々への農作物の出荷発注量を決定する決定部と、
前記出荷調整生産者各々に対して、当該出荷調整生産者の前記出荷発注量を送信する送信情報を生成する送信情報生成部と、
を備える情報処理システム。
【請求項２】
前記送信情報に対して、前記出荷調整生産者が生成した回答情報を取得する回答取得部を更に備え、
前記決定部は、前記回答情報に応じて、少なくとも１つの前記出荷調整生産者、又は、少なくとも１つの前記出荷調整生産者への農作物の出荷発注量を変更し、
前記送信情報生成部は、変更後の前記出荷調整生産者、又は、前記出荷発注量に応じた前記送信情報を生成する、
請求項１に記載の情報処理システム。
【請求項３】
前記記憶部は、前記生産者ごとの農作物の過去の出荷量に関する過去出荷量情報を更に記憶し、
前記決定部は、前記過去出荷量情報にも基づいて、前記出荷発注量を決定する、
請求項１又は請求項２に記載の情報処理システム。
【請求項４】
前記記憶部は、前記農作物の鮮度に関する鮮度情報を更に記憶し、
前記決定部は、前記鮮度情報にも基づいて、前記出荷発注量を決定する、
請求項１から請求項３のいずれか一項に記載の情報処理システム。
【請求項５】
前記記憶部は、前記農作物の生産の歩留率に関する歩留情報を更に記憶し、
前記決定部は、前記歩留情報にも基づいて、前記出荷発注量を決定する、
請求項１から請求項４のいずれか一項に記載の情報処理システム。
【請求項６】
前記歩留情報は、前記農作物の生産期間における天候に関する情報に基づく、
請求項５に記載の情報処理システム。
【請求項７】
前記歩留情報は、前記農作物の生産者の出荷品質に関する情報に基づく、
請求項５又は請求項６に記載の情報処理システム。
【請求項８】
前記歩留情報は、前記農作物が生産される圃場に関する情報に基づく、
請求項５から請求項７のいずれか一項に記載の情報処理システム。
【請求項９】
前記記憶部は、前記発注を行った発注者に前記農作物の納品する際の歩留率に関する納品歩留情報を記憶し、
前記決定部は、前記納品歩留情報にも基づいて、前記出荷発注量を決定する、
請求項１から請求項８のいずれか一項に記載の情報処理システム。
【請求項１０】
前記記憶部は、前記出荷調整生産者からの出荷物に関する出荷物情報を更に記憶し、
前記発注情報は、前記発注を行った発注者に関する発注者情報を含み、
前記出荷物情報と前記発注者情報とに基づいて、前記発注者に配送するための配送伝票を生成する配送伝票生成部を、更に備える、
請求項１から請求項９のいずれか一項に記載の情報処理システム。
【請求項１１】
農作物の流通を管理する情報処理装置において、
複数の生産者について、生産者ごとに当該生産者の農作物の出荷予定量を含む、生産情報を記憶する記憶部と、
一又は複数の流通業者から、発注ごとに農作物の発注量を含む、発注情報を取得する取得部と、
前記発注情報と前記生産情報に基づいて、少なくとも１つの発注に対して、複数の生産者を出荷調整生産者として選択し、選択した出荷調整生産者各々への農作物の出荷発注量を決定する決定部と、
前記出荷調整生産者各々に対して、当該出荷調整生産者の前記出荷発注量を送信する送信情報を生成する送信情報生成部と、
を備える情報処理装置。
【請求項１２】
農作物の流通を管理する情報処理システムの情報処理方法であって、
複数の生産者について、生産者ごとに当該生産者の農作物の出荷予定量を含む、生産情報を記憶する記憶ステップと、
一又は複数の流通業者から、発注ごとに農作物の発注量を含む、発注情報を取得する取得ステップと、
前記発注情報と前記生産情報に基づいて、少なくとも１つの発注に対して、複数の生産者を出荷調整生産者として選択し、選択した出荷調整生産者各々への農作物の出荷発注量を決定する決定ステップと、
前記出荷調整生産者各々に対して、当該出荷調整生産者の前記出荷発注量を送信する送信情報を生成する送信情報生成ステップと、
を含むことを特徴とする情報処理方法。
【請求項１３】
農作物の流通を管理する情報処理システムのコンピュータに、
複数の生産者について、生産者ごとに当該生産者の農作物の出荷予定量を含む、生産情報を記憶する記憶ステップと、
一又は複数の流通業者から、発注ごとに農作物の発注量を含む、発注情報を取得する取得ステップと、
前記発注情報と前記生産情報に基づいて、少なくとも１つの発注に対して、複数の生産者を出荷調整生産者として選択し、選択した出荷調整生産者各々への農作物の出荷発注量を決定する決定ステップと、
前記出荷調整生産者各々に対して、当該出荷調整生産者の前記出荷発注量を送信する送信情報を生成する送信情報生成ステップと、
を実行させるためのプログラム。
【発明の詳細な説明】
【技術分野】
【０００１】
本発明は、情報処理システム、情報処理装置、情報処理方法及びプログラムに関する。
【背景技術】
【０００２】
近年、商品の出荷元に関する情報を有する在庫ファイルと、発注元の受注先に対する制限に関する情報を有する配賦ファイルとを用いた商品受発注の仲介方法が知られている（例えば、特許文献１参照）。このような仲介方法では、発注元から商品の発注に関する情報を受け取ると、配賦ファイルを参照して当該商品の受注先の分散に関する制限の情報とを抽出し、在庫ファイルが持つ出荷先に関する情報と、受注先の分散に関する制限の情報とを参照して、出荷元を決定する。
【先行技術文献】
【特許文献】
【０００３】
【特許文献１】特開２００４−１１８６９０号公報
【発明の概要】
【発明が解決しようとする課題】
【０００４】
しかしながら、特許文献１においては、発注元からの発注に対し受注先（生産者）の出荷の割振を行う。言い換えれば、生産者の生産能力に応じた出荷の割振は行われない。従って、発注側の発注状況と、生産者の生産状況との両方に基づいて出荷の割振を行うことができない。そのため、出荷を効率的に行うことができない場合があった。
【０００５】
本発明は、上記の課題を解決すべくなされたもので、その目的は、出荷を効率的に行うことができる情報処理システム、情報処理装置、情報処理方法及びプログラムを提供することにある。
【課題を解決するための手段】
【０００６】
（１）本発明は上記の課題を解決するためになされたものであり、本発明の一態様は、農作物の流通を管理する情報処理システムにおいて、複数の生産者について、生産者ごとに当該生産者の農作物の出荷予定量を含む、生産情報を記憶する記憶部と、一又は複数の流通業者から、発注ごとに農作物の発注量を含む、発注情報を取得する取得部と、前記発注情報と前記生産情報に基づいて、少なくとも１つの発注に対して、複数の生産者を出荷調整生産者として選択し、選択した出荷調整生産者各々への農作物の出荷発注量を決定する決定部と、前記出荷調整生産者各々に対して、当該出荷調整生産者の前記出荷発注量を送信する送信情報を生成する送信情報生成部と、を備える情報処理システムである。
【０００７】
（２）本発明の一態様は、（１）の情報処理システムにおいて、前記送信情報に対して、前記出荷調整生産者が生成した回答情報を取得する回答取得部を更に備え、前記決定部は、前記回答情報に応じて、少なくとも１つの前記出荷調整生産者、又は、少なくとも１つの前記出荷調整生産者への農作物の出荷発注量を変更し、前記送信情報生成部は、変更後の前記出荷調整生産者、又は、前記出荷発注量に応じた前記送信情報を生成する。
【０００８】
（３）本発明の一態様は、（１）または（２）の情報処理システムにおいて、前記記憶部は、前記生産者ごとの農作物の過去の出荷量に関する過去出荷量情報を更に記憶し、前記決定部は、前記過去出荷量情報にも基づいて、前記出荷発注量を決定する。
【０００９】
（４）本発明の一態様は、（１）から（３）のいずれかの情報処理システムにおいて、前記記憶部は、前記農作物の鮮度に関する鮮度情報を更に記憶し、前記決定部は、前記鮮度情報にも基づいて、前記出荷発注量を決定する。
【００１０】
（５）本発明の一態様は、（１）から（４）のいずれかの情報処理システムにおいて、前記記憶部は、前記農作物の生産の歩留率に関する歩留情報を更に記憶し、前記決定部は、前記歩留情報にも基づいて、前記出荷発注量を決定する。
【００１１】
（６）本発明の一態様は、（５）の情報処理システムにおいて、前記歩留情報は、前記農作物の生産期間における天候に関する情報に基づく。
【００１２】
（７）本発明の一態様は、（５）または（６）の情報処理システムにおいて、前記歩留情報は、前記農作物の生産者の出荷品質に関する情報に基づく。
【００１３】
（８）本発明の一態様は、（５）から（７）のいずれかの情報処理システムにおいて、前記歩留情報は、前記農作物が生産される圃場に関する情報に基づく。
【００１４】
（９）本発明の一態様は、（１）から（８）のいずれかの情報処理システムにおいて、前記記憶部は、前記発注を行った発注者に前記農作物の納品する際の歩留率に関する納品歩留情報を記憶し、前記決定部は、前記納品歩留情報にも基づいて、前記出荷発注量を決定する。
【００１５】
（１０）本発明の一態様は、（１）から（９）のいずれかの情報処理システムにおいて、前記記憶部は、前記出荷調整生産者からの出荷物に関する出荷物情報を更に記憶し、前記発注情報は、前記発注を行った発注者に関する発注者情報を含み、前記出荷物情報と前記発注者情報とに基づいて、前記発注者に配送するための配送伝票を生成する配送伝票生成部を、更に備える。
【００１６】
（１１）本発明の一態様は、農作物の流通を管理する情報処理装置において、複数の生産者について、生産者ごとに当該生産者の農作物の出荷予定量を含む、生産情報を記憶する記憶部と、一又は複数の流通業者から、発注ごとに農作物の発注量を含む、発注情報を取得する取得部と、前記発注情報と前記生産情報に基づいて、少なくとも１つの発注に対して、複数の生産者を出荷調整生産者として選択し、選択した出荷調整生産者各々への農作物の出荷発注量を決定する決定部と、前記出荷調整生産者各々に対して、当該出荷調整生産者の前記出荷発注量を送信する送信情報を生成する送信情報生成部と、を備える情報処理装置である。
【００１７】
（１２）本発明の一態様は、農作物の流通を管理する情報処理システムの情報処理方法であって、複数の生産者について、生産者ごとに当該生産者の農作物の出荷予定量を含む、生産情報を記憶する記憶ステップと、一又は複数の流通業者から、発注ごとに農作物の発注量を含む、発注情報を取得する取得ステップと、前記発注情報と前記生産情報に基づいて、少なくとも１つの発注に対して、複数の生産者を出荷調整生産者として選択し、選択した出荷調整生産者各々への農作物の出荷発注量を決定する決定ステップと、前記出荷調整生産者各々に対して、当該出荷調整生産者の前記出荷発注量を送信する送信情報を生成する送信情報生成ステップと、を含むことを特徴とする情報処理方法である。
【００１８】
（１３）本発明の一態様は、農作物の流通を管理する情報処理システムのコンピュータに、複数の生産者について、生産者ごとに当該生産者の農作物の出荷予定量を含む、生産情報を記憶する記憶ステップと、一又は複数の流通業者から、発注ごとに農作物の発注量を含む、発注情報を取得する取得ステップと、前記発注情報と前記生産情報に基づいて、少なくとも１つの発注に対して、複数の生産者を出荷調整生産者として選択し、選択した出荷調整生産者各々への農作物の出荷発注量を決定する決定ステップと、前記出荷調整生産者各々に対して、当該出荷調整生産者の前記出荷発注量を送信する送信情報を生成する送信情報生成ステップと、を実行させるためのプログラムである。
【発明の効果】
【００１９】
本発明によれば、出荷を効率的に行うことができる。
【図面の簡単な説明】
【００２０】
【図１】第１実施形態に関わる情報処理システム１の一例を示す概略図である。
【図２】本実施形態に係る発注者端末の構成例を示す概略ブロック図である。
【図３】本実施形態に係る生産者端末の構成例を示す概略ブロック図である。
【図４】本実施形態に係る管理端末の構成例を示す概略ブロック図である。
【図５】本実施形態に係るサーバ装置の構成例を示す概略ブロック図である。
【図６】本実施形態に係る農作物情報記憶部が記憶するデータ例を示す図である。
【図７】本実施形態に係る発注者情報記憶部が記憶するデータ例を示す図である。
【図８】本実施形態に係る発注者情報記憶部が記憶する別のデータ例を示す図である。
【図９】本実施形態に係る受注情報記憶部が記憶するデータ例を示す図である。
【図１０】本実施形態に係る生産者情報記憶部が記憶するデータ例を示す図である。
【図１１】本実施形態に係る生産情報記憶部が記憶するデータ例を示す図である。
【図１２】本実施形態に係る割振情報記憶部が記憶するデータ例を示す図である。
【図１３】本実施形態に係る割振情報記憶部が記憶する別のデータ例を示す図である。
【図１４】本実施形態に係る出荷割振処理の一例を示すフローチャートである。
【図１５】本実施形態に係る調整処理の一例を示すフローチャートである。
【図１６】本実施形態に係る受注入力画面の一例を示す図である。
【図１７】本実施形態に係る受注一覧画面の一例を示す図である。
【図１８】本実施形態に係る調整画面の一例を示す図である。
【図１９】本実施形態に係る在庫引当画面の一例を示す図である。
【図２０】第２実施形態に係るサーバ装置の構成例を示す図である。
【図２１】第３実施形態に係るサーバ装置の構成例を示す図である。
【図２２】第４実施形態に係るサーバ装置の構成例を示す図である。
【発明を実施するための形態】
【００２１】
［第１実施形態］
以下、図面を参照して、本発明の第１実施形態について詳しく説明する。
【００２２】
＜情報処理システム＞
図１は、本実施形態に係る情報処理システム１の一例を示す概略図である。
情報処理システム１は、複数の発注者端末１０（１０−１、・・・、１０−Ｎ）、複数の生産者端末２０（２０−１、・・・、２０−Ｍ）、複数の管理端末３０（３０−１、・・・、３０−Ｌ）、及び、サーバ装置４０を備える。また、発注者端末１０、生産者端末２０、管理端末３０、及び、サーバ装置４０は、ネットワークＮＷを介して接続されている。ネットワークＮＷは、例えば、ＬＡＮ（Ｌｏｃａｌ  Ａｒｅａ  Ｎｅｔｗｏｒｋ）、又はインターネット等の情報通信ネットワークである。情報通信ネットワークは、有線又は無線のネットワークでもよいし、種々のネットワークを組み合わせたネットワークであってもよい。
本実施形態では、説明の都合上、管理端末３０が１つである例を説明するが、管理端末３０は、複数の管理端末３０（３０−１、・・・、３０−Ｌ）を備えてもよい。また、本実施形態において、発注者端末１０（１０−１、・・・１０−Ｎ）は、情報処理システム１が備える任意の発注者端末を示す場合、又は特に区別しない場合には、発注者端末１０として説明する。また、本実施形態において、生産者端末２０（２０−１、・・・、２０−Ｍ）は、情報処理システム１が備える任意の生産者端末を示す場合、又は特に区別しない場合には、生産者端末２０として説明する。
【００２３】
発注者端末１０は、例えば、パーソナルコンピュータ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）、又はＰＤＡ（Ｐｅｒｓｏｎａｌ  Ｄｉｇｉｔａｌ  Ａｓｓｉｓｔａｎｔ）などの端末装置である。発注者端末１０は、商品の発注者（以下、単に「発注者」とも称する）によって入力された情報であって、商品の発注を示す発注情報を、サーバ装置４０に送信する。以下、商品が農作物である場合について説明する。ここで、農作物とは、田畑で作られる栽培植物全般を示す。農作物は、例えば、穀物、野菜、果物、花、豆類などである。また、発注者とは、例えば、小売業者、仲卸業者、帳合業者などを示す。
【００２４】
生産者端末２０は、例えば、パーソナルコンピュータ、携帯電話、タブレット、スマートフォン、ＰＨＳ、又はＰＤＡなどの端末装置である。生産者端末２０は、農作物の生産者（以下、単に「生産者」とも称する）によって入力される情報であって、農作物の出荷に関する情報や、農作物の出荷割振に関する情報を、サーバ装置４０に送信する。生産者とは、例えば、農作物を生産する農家や企業などを示す。
【００２５】
管理端末３０は、例えば、パーソナルコンピュータ、携帯電話、タブレット、スマートフォン、ＰＨＳ、又はＰＤＡなどの端末装置である。管理端末３０は、受注した農作物の出荷の調整を行う調整者によって使用される。管理端末３０は、調整者によって入力された受発注の調整に関する情報を、管理端末３０に送信する。
【００２６】
サーバ装置４０は、例えば、サーバなどの情報処理装置である。サーバ装置４０は、農作物の受注情報と、当該農作物の生産情報とに基づいて、当該商品の出荷の割振（出荷割振とも称する）を行う。ここで、割振とは、出荷する農作物の数量を複数の生産者に割り振ることを示す。
サーバ装置４０は、出荷割振に対する生産者からの回答に基づいて、出荷割振の調整を行う。サーバ装置４０は、決定した出荷割振を示す情報を生産者端末２０に送信する。ここで、受注情報とは、発注者端末１０から送信された発注情報を、サーバ装置４０側の視点から言い換えたものである。
【００２７】
例えば、サーバ装置４０は、農作物の受注情報と、農作物の生産情報とを取得し、取得した情報に基づいて、受注した農作物に対して出荷を行う生産者を決定する。
サーバ装置４０は、決定した生産者に対して、出荷する農作物の割振を行う。サーバ装置４０は、割振を示す情報（送信情報の一例）を生成し、割振が行われた生産者の生産者端末２０に送信する。
生産者端末２０は受信した割振を示す情報を表示する。生産者端末２０は、生産者によって入力される情報であって、割振に対する回答情報をサーバ装置４０に送信する。回答情報は、割振に対して実際に出荷できる数量を示す回答の情報である。
サーバ装置４０は、受信した回答情報に基づいて、出荷割振の調整を行う。この際、管理端末３０から入力される情報にも基づいて、サーバ装置４０は、出荷割振の調整を行う。
サーバ装置４０は、調整の結果、回答情報を満たすことができれば、出荷割振及び割振調整を終了する。
【００２８】
これにより、情報処理システム１は、発注者から受注した受注情報と、生産者の生産情報との両方に基づいて出荷の割振を行うことができる。そのため、出荷の割振を効率的に行うことができる。
【００２９】
＜発注者端末＞
図２は、本実施形態に係る発注者端末１０の構成例を示す構成ブロック図である。
発注者端末１０は、通信部１１、入力部１２、記憶部１３、処理部１４、及び表示部１５を含んで構成される。
【００３０】
通信部１１は、ネットワークＮＷを介して各種通信を行う通信モジュールである。通信部１１は、例えば、サーバ装置４０との間で、各種通信を行う。
入力部１２は、例えば、キーボードやタッチパネルなどの入力装置である。入力部１２は、ユーザ操作に基づく入力情報を受け付ける。入力部１２は、受け付けた入力情報を処理部１４に出力する。
記憶部１３は、例えば、ハードディスクドライブ、メモリなどの記憶装置である。記憶部１３は、ファームウェアやアプリケーションプログラムなど、処理部１４が実行するための各種プログラム、及び、処理部１４が実行した処理の結果などを記憶する。
【００３１】
処理部１４は、中央演算装置（ＣＰＵ）などのプロセッサである。処理部１４は、例えば、通信部１１から入力された情報、入力部１２から入力された入力情報、記憶部１３に記憶する情報に基づいて、表示部１５に対する表示情報を生成する。また、処理部１４は、入力部１２から入力された入力情報に対応した出力情報を、通信部１１を介して、サーバ装置４０へ送信する。
【００３２】
具体的には、処理部１４は、通信部１１から、発注を行うための情報を取得する。処理部１４は、取得した情報と、記憶部１３に記憶する情報に基づいて、表示部１５に表示させる表示情報を生成する。処理部１４は、入力部１２から入力される、農作物の発注情報や、農作物の発注者を示す発注者情報を、通信部１１を介してサーバ装置４０に送信する。
【００３３】
表示部１５は、例えば、有機エレクトロルミネッセンスディスプレイ、液晶ディスプレイなどのディスプレイである。表示部１５は、処理部１４が生成する表示情報に従って、表示を行う。表示部１５の表示例については後述する。
【００３４】
＜生産者端末＞
図３は、本実施形態に係る生産者端末２０の構成例を示す構成ブロック図である。
生産者端末２０は、通信部２１、入力部２２、記憶部２３、処理部２４、及び表示部２５を含んで構成される。
【００３５】
通信部２１は、ネットワークＮＷを介して各種通信を行う通信モジュールである。通信部２１は、例えば、サーバ装置４０との間で、各種通信を行う。
入力部２２は、例えば、キーボードやタッチパネルなどの入力装置である。入力部２２は、ユーザ操作に基づく入力情報を受け付ける。入力部２２は、受け付けた入力情報を処理部２４に出力する。
記憶部２３は、例えば、ハードディスクドライブ、メモリなどの記憶装置である。記憶部２３は、ファームウェアやアプリケーションプログラムなど、処理部２４が実行するための各種プログラム、及び、処理部２４が実行した処理の結果などを記憶する。
【００３６】
処理部２４は、中央演算装置（ＣＰＵ）などのプロセッサである。処理部２４は、例えば、通信部２１から入力された情報、入力部２２から入力された入力情報、記憶部２３に記憶する情報に基づいて、表示部２５に対する表示情報を生成する。また、処理部２４は、入力部２２から入力された入力情報に対応した出力情報を、通信部２１を介して、サーバ装置４０へ送信する。
【００３７】
具体的には、処理部２４は、通信部２１から取得する情報、入力部２２から入力される入力情報、記憶部２３に記憶する情報に基づいて、表示部２５に農作物の生産情報を入力するための表示情報を生成する。処理部２４は、入力部２２から入力される農作物の生産情報を、通信部２１を介して、サーバ装置４０に送信する。
また、処理部２４は、通信部２１から取得する情報、入力部２２から入力される入力情報、記憶部２３に記憶する情報に基づいて、表示部２５に農作物の出荷割振を示す情報を表示するための表示情報を生成する。処理部２４は、入力部２２から入力される出荷割振に対する回答情報を、通信部２１を介して、サーバ装置４０に送信する。
また、処理部２４は、通信部２１から取得する情報、入力部２２から入力される入力情報、記憶部２３に記憶する情報に基づいて、表示部２５に調整後の出荷割振を示す情報を表示するための表示情報を生成する。
【００３８】
表示部２５は、例えば、有機エレクトロルミネッセンスディスプレイ、液晶ディスプレイなどのディスプレイである。表示部２５は、処理部２４が生成する表示情報に従って、表示を行う。表示部２５の表示例については後述する。
【００３９】
＜管理端末＞
図４は、本実施形態に係る管理端末３０の構成例を示す構成ブロック図である。
管理端末３０は、通信部３１、入力部３２、記憶部３３、処理部３４、及び表示部３５を含んで構成される。
【００４０】
通信部３１は、ネットワークＮＷを介して各種通信を行う通信モジュールである。通信部３１は、例えば、サーバ装置４０との間で、各種通信を行う。
入力部３２は、例えば、キーボードやタッチパネルなどの入力装置である。入力部３２は、ユーザ操作に基づく入力情報を受け付ける。入力部３２は、受け付けた入力情報を処理部３４に出力する。
記憶部３３は、例えば、ハードディスクドライブ、メモリなどの記憶装置である。記憶部３３は、ファームウェアやアプリケーションプログラムなど、処理部３４が実行するための各種プログラム、及び、処理部３４が実行した処理の結果などを記憶する。
【００４１】
処理部３４は、中央演算装置（ＣＰＵ）などのプロセッサである。処理部３４は、例えば、通信部３１から入力された情報、入力部３２から入力された入力情報、記憶部３３に記憶する情報に基づいて、表示部３５に対する表示情報を生成する。また、処理部３４は、入力部３２から入力された入力情報に対応した出力情報を、通信部３１を介して、サーバ装置４０へ送信する。
【００４２】
具体的には、処理部３４は、通信部３１から取得する情報、入力部３２から入力される入力情報、記憶部３３に記憶する情報に基づいて、表示部３５に、農作物の出荷割振の調整に関する情報を入力するための表示情報を生成する。処理部３４は、入力部３２から入力される情報であって、農作物の出荷割振の調整に関する情報（以下、「割振調整情報」とも称する）を、通信部３１を介して、サーバ装置４０に送信する。ここで、割振調整情報とは、例えば、在庫引当に関する情報、出荷を行う生産者の変更に関する情報である。
【００４３】
表示部３５は、例えば、有機エレクトロルミネッセンスディスプレイ、液晶ディスプレイなどのディスプレイである。表示部３５は、処理部３４が生成する表示情報に従って、表示を行う。表示部３５の表示例については後述する。
【００４４】
＜サーバ装置＞
図５は、本実施形態に係るサーバ装置４０の構成例を示すブロック図である。
サーバ装置４０は、通信部４１、記憶部４２、及び処理部４３を含んで構成される。
【００４５】
通信部４１は、ネットワークＮＷを介して各種通信を行う通信モジュールである。通信部４１は、例えば、発注者端末１０、生産者端末２０、又は管理端末３０との間で、各種通信を行う。
記憶部４２は、例えば、ハードディスクドライブ、メモリなどの記憶装置である。記憶部４２は、ファームウェアやアプリケーションプログラムなど、処理部４３が実行するための各種プログラム、及び、処理部４３が実行した処理の結果などを記憶する。
処理部４３は、中央演算装置（ＣＰＵ）などのプロセッサである。処理部４３は、例えば、通信部４１から入力された入力情報と、記憶部４２に記憶する情報とに基づいて、入力情報に対する出力情報を生成する。通信部４１は、生成した出力情報を、通信部４１を介して、発注者端末１０、生産者端末２０、又は管理端末３０へ送信する。
【００４６】
具体的には、処理部４３は、記憶部４２に予め記憶された、農作物の発注情報と、当該農作物の生産情報とを読み出し、読み出した情報に基づいて、当該農作物の出荷割振を行う。例えば、処理部４３は、当該農作物の生産情報に基づいて、出荷割振の対象である生産者を決定する。また、処理部４３は、当該農作物の生産情報と発注情報とに基づいて、決定した生産者に対する出荷割振を実行する。処理部４３は、実行した結果である割振情報を記憶部４２に記憶させる。
【００４７】
処理部４３は、出荷割振を終了後に、記憶部４２に記憶した結果に基づいて、生産者ごとに、出荷割振によって決定した出荷量を示す出荷情報（送信情報の一例）を生成し、生成した情報を、通信部４１を介して生産者端末２０に送信する。
処理部４３は、生産者端末２０から入力される情報であって、出荷情報に対する回答情報を、通信部４１から取得する。処理部４３は、回答情報と割振情報とに基づいて、出荷割振の調整を行う。
【００４８】
また、処理部４３は、調整を行う際に、在庫引当や、割振を行う生産者の変更が必要であると判断した場合、割当の調整を依頼する情報（以下、「調整依頼情報」とも称する）を、通信部４１を介して、管理端末３０に送信する。処理部４３は、管理端末３０から入力される割振調整情報を、通信部４１を介して受信する。ここで、割振調整情報は、上述した調整依頼情報に対する情報である。処理部４３は、管理端末３０から受信した情報に基づいて、出荷割振の調整を行う。
【００４９】
処理部４３は、出荷割振の調整が完了すると、完了した調整の結果を記憶部４２に記憶させる。また、処理部４３は、完了した情報に基づき、生産者ごとに、出荷割振の調整によって確定した出荷量を示す出荷確定情報（送信情報の一例）を生成し、生成した情報を、通信部４１を介して、生産者端末２０に送信する。
【００５０】
＜サーバ装置の記憶部＞
記憶部４２について、詳細を説明する。記憶部４２は、農作物情報記憶部４２１、発注者情報記憶部４２２、受注情報記憶部４２３、生産者情報記憶部４２４、生産情報記憶部４２５、及び、割振情報記憶部４２６を含んで構成される。
【００５１】
農作物情報記憶部４２１は、出荷される農作物、及び、受発注される農作物の情報（以下、「農作物情報」とも称する、図６参照）を記憶する。
発注者情報記憶部４２２は、農作物を発注する発注者の情報を示す発注者情報を記憶する。発注者情報は、得意先を示す得意先情報（図７参照）と、納品先を示す納品先情報（図８参照）を含む。ここで、得意先とは、農作物の取引相手である顧客、つまり、農作物の発注を行う顧客を示す。納品先は、得意先が発注した農作物を納品する相手を示す。得意先と納品先とは同じ場合もあるし、異なる場合もある。
受注情報記憶部４２３は、取引先から受注した農作物の受注を示す受注情報（図９参照）を記憶する。
【００５２】
生産者情報記憶部４２４は、農作物の生産者の情報を示す生産者情報（図１０参照）を記憶する。
生産情報記憶部４２５は、農作物の出荷予定を含む、農作物の生産の情報である生産情報（図１１参照）を記憶する。
割振情報記憶部４２６は、農作物の出荷の割振に関する情報を記憶する。割振に関する情報は、例えば、農作物の在庫に関する在庫情報（図１２参照）、農作物の割振の調整に関する調整情報（図１３参照）などである。
【００５３】
以下、記憶部４２が記憶する、農作物情報、得意先情報、納品先情報、受注情報、生産者情報、生産情報、在庫情報、及び、調整情報の一例について、図６〜図１３を用いて説明する。
【００５４】
図６は、本実施形態に係る農作物情報記憶部４２１が記憶するデータ例を示す図である。
この図に示す一例では、農作物情報記憶部４２１は、農作物情報として、商品コード、商品名、規格、単位、及び鮮度期限を対応付けた情報を記憶する。ここで、商品コードは、農作物を識別する識別情報である。商品名は、農作物の名称を示す。規格は、後述する１単位に含まれる農作物の数量、大きさ、品質などの規格を示す。単位は、出荷される農作物の出荷単位を示す。農作物によっては、単位が規格を含む場合もある。鮮度期限は、農作物の収穫後、鮮度を保って出荷可能な期間を示す。
この図に示す一例では、「商品コード」が“Ｓ０００１”である農作物は、「商品名」が“きゅうり”であり、「規格」が“Ｍ＊５０本”であり、「単位」が“ケース”であり、「鮮度期限」が“Ｘ日”であることを示す。
【００５５】
図７は、本実施形態に係る発注者情報記憶部４２２が記憶するデータ例を示す図である。
この図に示す一例では、発注者情報記憶部４２２は、得意先情報として、得意先ＩＤ、及び、得意先名、を対応付けた情報を記憶する。ここで、得意先ＩＤは、得意先を識別する識別情報である。得意先名は、得意先の名称を示す。
この図に示す一例では、「得意先ＩＤ」が“Ｔ００１”である得意先は、「得意先名」が“ＡＢＣ（株）”であることを示す。
【００５６】
図８は、本実施形態に係る発注者情報記憶部４２２が記憶する別のデータ例を示す図である。
この図に示す一例では、発注者情報記憶部４２２は、納品先情報として、納品先ＩＤ、納品先名、郵便番号、及び住所を対応付けた情報を記憶する。ここで、納品先ＩＤは、納品先を識別する識別情報である。納品先名は、納品先の名称を示す。郵便番号は、納品先の郵便番号を示す。住所は、納品先の住所を示す。
この図に示す一例では、「納品先ＩＤ」が“００３”である納品先は、「納品先名」が“ＡＢＣ（株）”であり、「郵便番号」が“１３３−０００１”であり、「住所」が“東京都江東区豊洲・・・”であることを示す。
【００５７】
図９は、本実施形態に係る受注情報記憶部４２３が記憶するデータ例を示す図である。
この図に示す一例では、受注情報記憶部４２３は、受注情報として、受注ＩＤ、受注日、得意先ＩＤ、納品先ＩＤ、複数の商品を対応付けた情報を記憶する。また、各商品は、商品コード、日付、及び、個数を対応付けた情報である。
ここで、受注ＩＤは、受注を識別する識別情報である。受注日は、受注した日付を示す。得意先ＩＤは、発注を行った得意先の得意先ＩＤである。納品先ＩＤは、受注した農作物の納品先の納品先ＩＤである。
また、商品コードは、受注した農作物の商品コードである。日付は、受注した農作物の納品日を示す。個数は、受注した農作物の納品個数を示す。ここで納品個数の単位は、上述した農作物の出荷単位である。すなわち、農作物の単位が「ケース」で、納品個数が「１０」の場合、納品する農作物は１０ケースとなる。
この図に示す一例では、「受注ＩＤ」が“Ｊ００１”である受注は、「受注日」が“２０１８／１１／１８”であり、「得意先ＩＤ」が“Ｔ００１”であり、「納品先ＩＤ」が“００３”である。また、「受注ＩＤ」が“Ｊ００１”である受注の「商品１」は、「商品コード」が“Ｓ０００１”であり、「日付」が“１１／２２”であり、「個数」が“１０”であることを示す。
【００５８】
図１０は、本実施形態に係る生産者情報記憶部４２４が記憶するデータ例を示す図である。
この図に示す一例では、生産者情報記憶部４２４は、生産者情報として、生産者ＩＤと生産者名を対応付けた情報を記憶する。ここで、生産者ＩＤは、農作物の生産者を識別する識別情報である。生産者名は、農作物の生産者を示す。
この図に示す一例では、「生産者ＩＤ」が“Ｐ００１”である生産者は、「生産者名」が“大和  太郎”であることを示す。
【００５９】
図１１は、本実施形態に係る生産情報記憶部４２５が記憶するデータ例を示す図である。
この図に示す一例では、生産情報記憶部４２５は、生産情報として、生産者ＩＤ、商品コード、及び、複数の出荷予定を対応付けた情報を記憶する。また、出荷予定は、出荷予定日と出荷予定量と過去情報とを含む情報である。
ここで、出荷予定は、生産者ＩＤが示す生産者が、商品コードが示す農作物を出荷する予定を示す情報である。出荷予定日は、農作物の出荷予定の日付を示す。出荷予定量は、農作物の出荷予定日における、出荷する農作物の数量を示す。過去情報は、当該生産者が過去に出荷した農作物の数量に基づいた情報である。過去情報は、例えば、過去に出荷した農作物の数量の平均値である。なお、過去情報はこれに限られない。過去に出荷した農作物の数量の中央値や、これらの情報に基づいて算出される値であってもよい。
生産者ＩＤは、農作物の生産者を識別する識別情報である。生産者名は、農作物の生産者を示す。
この図に示す一例では、「生産者ＩＤ」が“Ｐ００１”である生産者は、「商品コード」が“Ｓ０００１”である農作物について、「出荷予定日」が“１１／２２”である日は、「出荷予定量」が“１０”であることを示す。
【００６０】
図１２は、本実施形態に係る割振情報記憶部４２６が記憶するデータ例を示す図である。
この図に示す一例では、割振情報記憶部４２６は、在庫情報として、商品コード、生産者ＩＤ、及び、複数の在庫発生を対応付けた情報を記憶する。また、在庫発生は、在庫発生日と数量とを関連付けた情報である。
ここで、在庫発生は、商品コードが示す農作物であって、生産者ＩＤが示す生産者が出荷したが在庫となった農作物に関する情報を示す。ここで、在庫は、農作物の生産者が出荷後、納品先が出荷日に存在しないために、一時的に保管される農作物を示す。在庫となった農作物は、例えば、後日当該農作物の受注があった場合、納品先に納品される。在庫発生日は、在庫が発生した日付を示す。数量は、在庫となった農作物の数量を示す。
この図に示す一例では、「商品コード」が“Ｓ０００１”である農作物であって、「生産者ＩＤ」が“Ｐ０００１”である農作物について、「在庫発生日」が“１２／３”に、「数量」が“５”の在庫が発生したことを示す。
【００６１】
図１３は、本実施形態に係る割振情報記憶部４２６が記憶する別のデータ例を示す図である。
この図に示す一例では、割振情報記憶部４２６は、調整情報として、納品日、受注数、複数の生産者に関する情報、在庫引当、及び、受注差異を対応付けた情報として記憶する。また、生産者に関する情報は、生産者ＩＤ、状況、割当、及び回答を関連付けた情報である。また、割振情報記憶部４２６は、調整情報を商品コードごと分けて記憶する。
ここで、納品日は、農作物の納品の日付を示す情報である。受注数は、商品コードが示す農作物について、納品日に納品する数量を示す。受注数は、納品日に納品する全ての納品先へ納品する数量の合計を示す。生産者に関する情報は、当該農作物を出荷する生産者の数だけ存在する。状況は、当該農作物の出荷割振の状況を示す。例えば、状況は調整中、確定などである。調整中は、当該農作物の出荷割振が現在調整中であることを示す。また、確定は、当該農作物の出荷割振が確定していることを示す。割当は、割り当てられた出荷量を示す。回答は、生産者端末から受信した回答情報を示す。すなわち、回答は、当該納品日に実際に出荷可能な農作物の量を示す。
在庫引当は、当該農作物の当該納品日に、納品する農作物のうち、在庫を引き当てた数（在庫引当数）を示す。
受注差異は、回答情報が示す各生産者の出荷量及び在庫引当の合計（回答合計数）と、受注数との差である。受注差異は、以下の式（１）で計算される。
【００６２】
受注差異＝（回答合計数＋在庫引当数）−受注数・・・（１）
【００６３】
受注差異が正の場合は、生産者の出荷量が多いために、在庫が発生することを示す。また、受注差異が０の場合は、出荷量及び在庫引当によって、受注数を満足することを示す。この場合、当該農作物は過不足なく納品できることを示す。受注差異が負の場合は、出荷量及び在庫引当によっては、受注数を満足することができないことを示す。
【００６４】
この図に示す一例では、「商品コード」が“Ｓ０００１”である農作物であって、「納品日」が“１１／２２”に納品する農作物について、「受注数」が“５０”であって、出荷割振が行われた「生産者１」が存在し、「在庫引当」が“０”であって、「受注差異」が“０”であることを示す。また、「生産者１」は、「生産者ＩＤ」が“Ｐ０００１”であり、「状況」が“調整中”であり、「割当」が“１０”であり、「回答」が“１０”であることを示す。
【００６５】
＜サーバ装置の処理部＞
図５に戻って、処理部４３について、詳細を説明する。
処理部４３は、情報取得部４３１、決定部４３２、送信情報生成部４３３、及び、出力処理部４３４を含んで構成される。
【００６６】
情報取得部４３１は、発注者端末１０から、発注者情報（図７、図８）を取得し、発注者情報記憶部４２２に記憶させる。また、情報取得部４３１は、生産者端末２０から、生産情報（図１１）を取得し、生産情報記憶部４２５に記憶させる。
また、情報取得部４３１は、発注者端末１０から、受注情報（図９）を取得し、受注情報記憶部４２３に記憶させる。
この際、情報取得部４３１は、生産情報記憶部４２５及び受注情報記憶部４２３から、生産情報及び受注情報を読み出し、読み出し情報に基づいて受注数の上限までの受注を受け付ける。具体的には、情報取得部４３１は、生産情報から、各生産者の出荷予定日ごとの出荷予定量を合計して、納品日（出荷予定日）に納品可能な農作物の数量（納品可能合計数量）を取得する。また、情報取得部４３１は、受注情報記憶部４２３からこれまでの受注情報から、当該納品日に納品する当該農作物の数量の合計（受注合計数量）を取得する。情報取得部４３１は、納品可能合計数量と受注合計数量との差を、受注時の受注上限数として指定する。例えば、ある日に当該農作物の受注がまだなければ、受注合計数量が０なので、納品可能合計数量が受注上限数となる。つまり、受注合計数量は、納品可能合計数量を上回ることはない。
【００６７】
また、情報取得部４３１（回答取得部の一例）は、生産者端末２０から、出荷割振の回答情報を取得し、割振情報記憶部４２６に記憶させる。また、情報取得部４３１は、管理端末３０から、割振調整情報を取得し、割振情報記憶部４２６に記憶させる。
【００６８】
決定部４３２は、記憶部４２から受注情報、生産情報を読み出す。決定部４３２は、読み出した情報に基づいて、出荷割振を行う。決定部４３２は、行った出荷割振の結果を、割振情報記憶部４２６に記憶させる。出荷割振の処理については、後述する。
【００６９】
また、決定部４３２は、割振情報記憶部４２６から回答情報を読み出す。決定部４３２は、読み出した情報に基づいて、出荷割振の調整を行う。
決定部４３２は、出荷割振の調整において、在庫引当、割当を行う生産者の変更などが必要であると判断した場合、調整依頼情報を作成し、出力処理部４３４に出力する。
また、決定部４３２は、割振情報記憶部４２６から、割振調整情報、割振情報、在庫情報を読み出す。決定部４３２は、読み出した情報にも基づいて、出荷割振の調整を行う。出荷割振の調整については詳細を後述する。
【００７０】
送信情報生成部４３３は、割振情報記憶部４２６から、割振情報を読み出す。また、生産者情報記憶部４２４から、生産者情報を読み出す。送信情報生成部４３３は、読み出した情報に基づいて、生産者ごとに割振情報に基づいて送信情報を生成する。送信情報は、生産者ごとに、出荷割振をまとめた情報である。送信情報生成部４３３は、生成した送信情報を、出力処理部４３４に出力する。
【００７１】
出力処理部４３４は、送信情報生成部４３３から入力された送信情報を、通信部４１を介して、生産者端末２０に送信する。また、出力処理部４３４は、決定部４３２から入力された調整依頼情報を、管理端末３０に送信する。
【００７２】
＜出荷割振の処理＞
次に、出荷割振の処理の一例について、説明する。
図１４は、本実施形態における、サーバ装置４０の出荷割振の処理の一例を示すフローチャートである。
【００７３】
（ステップＳ１００）決定部４３２は、受注情報記憶部４２３から、受注情報を読み出す。また、決定部４３２は、生産情報記憶部４２５から、生産情報を読み出す。読み出すと、決定部４３２は、処理をステップＳ１０２に進める。
【００７４】
（ステップＳ１０２）次に、決定部４３２は、読み出した受注情報のうち、商品コード及び日付の組み合わせが同一である受注を選択する。決定部４３２は、選択した受注情報の含まれる受注数を合計する。決定部４３２は、商品コードごとに、日付、及び、受注数の合計を関連付けた情報を割振情報記憶部４２６に記憶させる。当該情報は、納品日、受注数以外の項目が空欄の調整情報である。決定部４３２は、全ての受注情報に対して、上述した処理を繰り返す。上述した処理を繰り返した結果、割振情報記憶部４２６には、商品コード及び納品日ごとに複数の調整情報が記憶される。決定部４３２は調整情報を生成すると、処理をステップＳ１０４に進める。
【００７５】
（ステップＳ１０４）決定部４３２は、生産情報記憶部４２５から、生産情報を読み出す。決定部４３２は、読み出した情報の中から、調整情報が示す商品コード及び納品日の生産情報を選択する。決定部４３２は、選択した生産情報の出荷予定数と、調整情報の受注数とに基づいて、割振を行う生産者を選択する。具体的には、決定部４３２は、選択した生産情報から、納品可能合計数量を算出する。決定部４３２は、納品可能合計数量と受注数とを比較する。決定部４３２は、比較した結果、納品可能合計数量が受注数と等しい場合、選択した生産情報に含まれる生産者全てを割振対象生産者（出荷調整生産者の一例）として決定する。割振対象生産者とは、出荷の割振が行われる対象となる生産者である。
【００７６】
決定部４３２は、比較した結果、納品可能合計数量が受注数より多い場合、選択した生産情報に含まれる生産者の中から、所定の規則に従って、絞り込みを行う。絞り込みは、絞り込んだ生産者の生産情報に含まれる出荷予定量の合計が受注数を上回るように行われる。また所定の規則は、予め定められ、記憶部４２に記憶される。所定の規則は、どのようなものであってもよい。例えば、所定の規則は、絞り込まれる生産者による出荷予定数の合計が受注数と一致するというものである。
【００７７】
決定部４３２は、絞り込んだ生産者を割振対象生産者として決定する。このとき、決定部４３２は、絞り込まれる生産者による出荷予定数の合計が受注数と一致する組み合わせが複数ある場合に、過去の生産情報に基づいてどの組み合わせを選択するか決定してもよい。すなわち、組み合わせ毎に、過去の生産情報の和と出荷予定数の和とを比較し、過去の生産情報の和が、出荷予定数に最も近い生産者の組み合わせを選択する。
決定部４３２は、決定した割振対象生産者を、調整情報の生産者として調整情報に記憶させ、処理をステップＳ１０６に進める。
【００７８】
（ステップＳ１０６）決定部４３２は、決定した割振対象生産者に対して、出荷する農作物の割当を行う。具体的には、決定部４３２は、割振対象生産者の生産情報の生産予定量を、各生産者への割当として決定する。決定部４３２は決定した情報を調整情報として、割振情報記憶部４２６に記憶させる。このとき、決定部４３２は、調整情報の状況を“調整中”として割振情報記憶部４２６に記憶させる。
【００７９】
また、決定部４３２は、割振対象生産者以外に、当該農作物を当該納品日に納品可能な生産者がいる場合（絞り込みが行われた場合）、その生産者の出荷予定量が、在庫となると判定する。決定部４３２は、在庫と判定した生産者及び出荷予定数量を在庫情報として、割振情報記憶部４２６に記憶させる。決定部４３２は、出荷割当が行われていない他の調整情報についても、上述した処理を繰り返す。決定部４３２は、全ての調整情報について、上述した処理が終了すると、処理をステップＳ１０８に進める。
【００８０】
（ステップＳ１０８）送信情報生成部４３３は、割振情報記憶部４２６から割振情報を読み出す。また、生産者情報記憶部４２４から、生産者情報を読み出す。送信情報生成部４３３は、読み出した情報に基づいて、生産者ごとに割振情報に基づいて送信情報を生成する。送信情報生成部４３３は、生成した送信情報を、出力処理部４３４に出力し、処理をステップＳ１１０に進める。
（ステップＳ１１０）出力処理部４３４は、入力された送信情報を、通信部４１を介して、該当する生産者の生産者端末２０に送信する。ここで、該当する生産者とは、送信情報に含まれる生産者である。
【００８１】
＜出荷割振の調整＞
次に、出荷割振の調整処理の一例について説明する。
図１５は、本実施形態における、サーバ装置４０の出荷割振の調整処理の一例を示すフローチャートである。
【００８２】
（ステップＳ２００）決定部４３２は、出荷割振に対する回答情報を、割振情報記憶部４２６から読み出し、処理をステップＳ２０２に進める。
（ステップＳ２０２）決定部４３２は、読み出した回答情報から、回答合計数を算出する。決定部４３２は、算出した回答合計数と受注数から、受注差異を算出する。ここで、受注差異は、上述した式（１）において、在庫引当数を０として求められる。
【００８３】
（ステップＳ２０４）決定部４３２は、受注差異が負であるか否かを判定する。受注差異が負である場合（ステップＳ２０４：ＹＥＳ）、決定部４３２は受注数に比べて、回答合計数が下回っており、受注数の農作物を全て出荷することができないと判定する。この場合、決定部４３２は、処理をステップＳ２１４に進める。
一方、決定部４３２は、受注差異が０以上である場合（ステップＳ２０４：ＮＯ）、決定部４３２は受注数に比べて、回答合計数が同じか、上回っており、受注数の農作物を全て出荷することができると判定する。この場合、決定部４３２は、処理をステップＳ２０６に進める。
【００８４】
（ステップＳ２０６）決定部４３２は、割当数に対する回答数に過不足があるか否かを判定する。決定部４３２は、過不足がある場合（ステップＳ２０６：ＹＥＳ）、割振対象生産者のうち、少なくとも１生産者について、割当数に対して回答数が過剰、もしくは、割当数に対して回答数が不足、のどちらかであるため、割当数を調整する必要があると判定する。この場合、決定部４３２は、処理をステップＳ２０８に進める。
決定部４３２は、過不足がない場合（ステップＳ２０６：ＮＯ）、全ての割振対象生産者に対して、割当数と回答数とが一致していると判定する。この場合、決定部４３２は、割当数を変更する必要がないと判定する。決定部４３２は、当該割当についての調整情報の状況を“確定”に変更し、割振情報記憶部４２６に記憶させ、処理をステップＳ２１４に進める。
【００８５】
（ステップＳ２０８）決定部４３２は、割当数に過不足がある場合、割当数の過不足を調整する。具体的には、決定部４３２は、まず、回答数が割当より少ない割振対象生産者を検索する。決定部４３２は、回答数が割当数より少ない割振対象生産者がいた場合、選択した割振対象生産者の割当数を回答数に変更する。次に、決定部４３２は、回答数が割合数より多い割振対象生産者を選択する。回答数が割当数より多い割振対象生産者がいた場合、選択した割振対象生産者の割当数を、回答数を上回らないように変更する。決定部４３２は、どの割振対象生産者にどのように割当を行うかについては、予め定められた所定の規則に従う。例えば、所定の規則は、回答数が少ない割振対象生産者については回答数を割当数とする、などとする。決定部４３２は、割当数の過不足の調整が終了すると、処理をステップＳ２１０に進める。
【００８６】
（ステップＳ２１０）決定部４３２は、受注差異が正であるか否かを判定する。受注差異が正の場合（ステップＳ２１０：ＹＥＳ）、決定部４３２は、受注数に比べて、回答合計数が上回っており、生産者が出荷する農作物のうち、在庫となる農作物があると判定し、処理をステップＳ２１２に進める。受注差異が正出ない場合（ステップＳ２１０：ＮＯ）、決定部４３２は、受注差異がなく、割当数をこれ以上変更する必要がないと判定する。決定部４３２は、当該割当についての調整情報の状況を“確定”に変更し、割振情報記憶部４２６に記憶させ、処理をステップＳ２１４に進める。
【００８７】
（ステップＳ２１２）決定部４３２は、回答数が割当数より多い割振対象生産者を選択する。決定部４３２は、選択した割振対象生産者について、回答数と割当数との差を、在庫として、在庫情報に記憶させる。また、決定部４３２は、当該割当についての調整情報の状況を“確定”に変更し、割振情報記憶部４２６に記憶させ、処理をステップＳ２１４に進める。
【００８８】
（ステップＳ２１４）送信情報生成部４３３は、“確定”となった調整情報に基づいて、生産者端末２０に送信する送信情報を生成する。送信情報の生成については、出荷割振の処理におけるステップＳ１０８と同様であるので、ここでは説明を省略する。
（ステップＳ２１６）出力処理部４３４は、入力された送信情報を、通信部４１を介して、該当する生産者の生産者端末２０に送信する。送信情報の送信については、出荷割振の処理におけるステップＳ１１０と同様であるので、ここでは説明を省略する。
【００８９】
（ステップＳ２１８）決定部４３２は、受注差異が負であった場合、在庫割当を行うか否かを問い合わせるための調整依頼情報を生成し、出力処理部４３４に出力する。出力処理部４３４は、入力された情報を、通信部４１を介して、管理端末３０に送信する。管理端末３０のユーザは、管理端末３０が受信した情報に基づいて、在庫割当を行うか否かを示す割振調整情報を、入力部３２を介して入力する。管理端末３０は、入力された割振調整情報を、通信部３１を介してサーバ装置４０に送信する。サーバ装置４０は、受信した割振調整情報に基づいて、在庫割当を行うか否かを判定する。決定部４３２は、在庫割当を行う場合（ステップＳ２１８：ＹＥＳ）、処理をステップＳ２２０に進める。決定部４３２は、在庫割当を行わない場合、処理をステップＳ２２４に進める。
【００９０】
（ステップＳ２２０）決定部４３２は、在庫割当を行うための情報（農作物情報、在庫情報、調整情報）を調整依頼情報として生成し、出力処理部４３４に出力する。出力処理部４３４は、入力された情報を、通信部４１を介して、管理端末３０に送信する。管理端末３０のユーザは、管理端末３０が受信した情報に基づいて、どの在庫を割当てるかを示す割振調整情報を、入力部３２を介して入力する。この際、管理端末３０のユーザは、農作物情報に含まれる鮮度期限に基づいて、生産者が出荷してから、納品先に納品されるまでの期間が鮮度期限を超過しないように、在庫の割り当てを行う。
【００９１】
管理端末３０は、入力された割振調整情報を、通信部３１を介してサーバ装置４０に送信する。サーバ装置４０は、受信した割振調整情報に基づいて、在庫割当を行う。決定部４３２は、在庫割当を行うと、在庫情報と調整情報を更新し、割振情報記憶部４２６に記憶させる。具体的には、在庫割当を行った在庫情報については、例えば、在庫割当が行われたことを示す情報を追加する。また、調整情報については、在庫引当数を更新する。決定部４３２は、在庫割当が終了すると、処理をステップＳ２２２に進める。
【００９２】
（ステップＳ２２２）決定部４３２は、受注差異が負であるか否かを判定する。ここで、受注差異は、上述した式（１）を用いて算出する。受注差異が負である場合（ステップＳ２２２：ＹＥＳ）、決定部４３２は、処理をステップＳ２２４に進める。受注差異が負出ない場合（ステップＳ２２２：ＮＯ）、決定部４３２は、在庫割当によって、受注数に対する回答数の不足分を満たすことができたと判定する。この場合、決定部４３２は、処理をステップＳ２０６に進める。
【００９３】
（ステップＳ２２４）決定部４３２は、生産者を追加するために必要な情報（生産情報、調整情報）を調整依頼情報として生成し、出力処理部４３４に出力する。出力処理部４３４は、入力された調整依頼情報を、通信部４１を介して、管理端末３０に送信する。管理端末３０のユーザは、管理端末３０が受信した調整依頼情報に基づいて、追加する生産者を示す割振調整情報を、入力部３２を介して入力する。管理端末３０は、入力された割振調整情報を、通信部３１を介してサーバ装置４０に送信する。サーバ装置４０は、受信した割振調整情報に基づいて、生産者の追加を行い、処理をステップＳ２２６に進める。
（ステップＳ２２６）決定部４３２は、追加された生産者を割振対象生産者に含め、再度出荷割振の処理を行い、処理をステップＳ２００に戻す。
【００９４】
図１６は、本実施形態に係る受注入力画面の一例を示す図である。図１６の受注入力画面Ｄ１０は、例えば、発注者端末１０の表示部１５に表示される。また、管理端末３０の表示部３５にも表示される。
図１６において、受注入力画面Ｄ１０は、受注ＩＤ表示部Ｄ１１、情報入力部Ｄ１２、商品入力部Ｄ１３、更新ボタンＢ１４、削除ボタンＢ１５、及び、調整ボタンＢ１６を含んで構成されている。
【００９５】
受注ＩＤ表示部Ｄ１１は、受注ＩＤを表示する表示部である。
情報入力部Ｄ１２は、発注者端末１０のユーザである発注者が、発注者に関する情報を入力するための入力欄である。発注者に関する情報とは、例えば、発注者を示す得意先、納品先などの情報である。
商品入力部Ｄ１３は、発注者端末１０のユーザである発注者が、発注する商品を入力するための入力欄である。図１６の例では、３つの商品が入力され、それぞれの商品について、日毎に発注数が入力されている。
更新ボタンＢ１４は、受注ＩＤ表示部Ｄ１１に表示される受注ＩＤで識別される受注情報の更新を支持するための操作子である。更新ボタンＢ１４が選択されると、発注者端末１０は、通信部１１を介して、当該情報を、サーバ装置４０に送信する。サーバ装置４０は受信した情報を、受注情報記憶部４２３に記憶させる。
削除ボタンＢ１５は、商品入力部Ｄ１３の選択用チェックボックスで選択された商品を、商品入力部Ｄ１３から削除するための操作子である。
調整ボタンＢ１６は、商品入力部Ｄ１３の選択用チェックボックスで選択された商品について受注調整画面を表示させるための操作子である。受注調整画面については、後述する。なお、調整ボタンＢ１６は、管理端末３０の表示部３５に表示される場合にのみ表示されるボタンである。
【００９６】
図１７は、本実施形態に係る受注一覧画面の一例を示す図である。図１７の受注一覧画面Ｄ２０は、例えば、生産者端末２０の表示部２５に表示される。また、管理端末３０の表示部３５にも表示される。
図１７において、受注一覧画面Ｄ２０は、検索条件入力部Ｄ２１、検索ボタンＢ２２、検索結果表示部Ｄ２３、出荷調整ボタンＢ２４、及び、出荷回答ボタンＢ２５を含んで構成されている。
【００９７】
検索条件入力部Ｄ２１は、受注一覧画面Ｄ２０に表示する受注情報の条件を入力するための入力部である。
検索ボタンＢ２２は、検索条件入力部Ｄ２１で入力された条件で、受注情報を検索するための操作子である。
検索結果表示部Ｄ２３は、検索条件入力部Ｄ２１による受注条件の検索結果である。受注一覧画面Ｄ２０が、表示部２５に表示されているときには、更に所定の条件を満たすものであってもよい。例えば、検索結果表示部Ｄ２３に表示される受注情報は、生産者端末２０のユーザである生産者が割振対象生産者である受注情報のみであってもよい。
出荷調整ボタンＢ２４は、出荷調整を行うための操作子である。なお、出荷調整ボタンＢ２４は、管理端末３０の表示部３５に表示される場合にのみ表示されるボタンである。
出荷回答ボタンＢ２５は、出荷回答を行うための操作子である。なお、出荷回答ボタンＢ２５は、生産者端末２０の表示部２５に表示される場合にのみ表示されるボタンであってもよい。
【００９８】
図１８は、本実施形態に係る調整画面の一例を示す図である。図１８の調整画面Ｄ３０は、例えば、管理端末３０の表示部３５に表示される。
図１８において、調整画面Ｄ３０は、調整情報表示部Ｄ３１、追加ボタンＢ３２、在庫引当ボタンＢ３３を含んで構成されている。
【００９９】
調整情報表示部Ｄ３１は、調整情報を表示する表示部である。ここでは、１つの商品に対して４人の割振対象生産者の調整情報が表示されている。調整情報表示部Ｄ３１において、「１１／２２」は受注数と回答数とが一致している場合を示している。また、「１１／２４」は、回答数が受注数よりも少なかったが、在庫引当を行って受注数を満たした場合を示している。また、「１１／２７」は、回答数が受注数より少なく、また、在庫引当が行われていないため、受注数を満たしていない状況であることを示す。また、「１１／２８」は、受注数に対し、回答数が多く、在庫が発生することを示す。
追加ボタンＢ３２は、割振対象生産者の追加を行うための操作子である。追加ボタンＢ３２が選択されると、サーバ装置４０は、生産者を追加するための処理を行う。
在庫引当ボタンＢ３３は、在庫引当を行うための操作子である。在庫引当ボタンＢ３３が詮索されると、サーバ装置４０は、在庫を引き当てるための処理を行う。
【０１００】
図１９は、本実施形態に係る在庫引当画面の一例を示す図である。図１９の在庫引当画面Ｄ４０は、例えば、管理端末３０の表示部３５に表示される。
図１９において、在庫引当画面Ｄ４０は、在庫引当入力部Ｄ４１と登録ボタンＢ４２を含んで構成されている。
【０１０１】
在庫引当入力部Ｄ４１は、引き当てる在庫を入力するための入力部である。
登録ボタンＢ４２は、在庫引当入力部Ｄ４１で入力された情報を、調整情報に登録するための操作子である。登録ボタンＢ４２が選択されると、在庫引当が行われ、調整情報が更新される。
【０１０２】
以上説明したように、本実施形態による農作物の流通を管理する情報処理システム１において、生産者情報記憶部４２４は、複数の生産者について、生産者ごとに当該生産者の農作物の出荷予定量を含む、生産情報（図１１）を記憶する。情報取得部４３１は、一又は複数の流通業者から、発注ごとに農作物の発注量を含む、発注情報（図９）を取得する。決定部４３２は、前記発注情報と前記生産情報に基づいて、少なくとも１つの発注に対して、複数の生産者を出荷調整生産者として選択し、選択した出荷調整生産者各々への農作物の出荷発注量を決定する。送信情報生成部４３３は、前記出荷調整生産者各々に対して、当該出荷調整生産者の前記出荷発注量を送信する送信情報を生成する。
【０１０３】
これにより、情報処理システム１は、生産情報と発注情報とに基づいて、発注情報毎に農作物の出荷予定量に基づいて割振を行う。これにより、生産者が予定している出荷量に合わせて出荷の割振を行うことができるので、発注ごとに生産者との間で出荷数を確認する必要がなくなり、出荷までに必要な手間を低減することができる。従って、情報処理システム１は、出荷を効率的に行うことができる。
【０１０４】
また、本実施形態による農作物の流通を管理する情報処理システム１は、情報取得部４３１は、前記送信情報に対して、前記出荷調整生産者が生成した回答情報を取得する。また、決定部４３２は、前記回答情報に応じて、少なくとも１つの前記出荷調整生産者、又は、少なくとも１つの前記出荷調整生産者への農作物の出荷発注量を変更する。また、送信情報生成部４３３は、変更後の前記出荷調整生産者、又は、前記出荷発注量に応じた前記送信情報を生成する。
これにより、出荷予定量の農作物に基づいて割り当てられた農作物を生産者が出荷できない場合であっても、情報処理システム１を用いて割振を調整することで、複数の生産者との間で、調整に関する複数のやりとりを行わなくても、出荷予定量の農作物を出荷させることができる。従って、情報処理システム１は、出荷を効率的に行うことができる。
【０１０５】
また、本実施形態に農作物の流通を管理する情報処理システム１は、記憶部４２は、前記生産者ごとの農作物の過去の出荷量に関する過去出荷量情報を更に記憶する。決定部４３２は、前記過去出荷量情報にも基づいて、前記出荷発注量を決定する。
これにより、出荷予定量が過去の出荷量に比べて大幅に異なっている場合でも、過去の出荷量に基づいて割振を行うことで、過去と同量程度しか出荷できない場合でも、再度の出荷調整を生産者と何度も行うことなく、出荷予定量を出荷させることができる。従って、情報処理システム１は、出荷を効率的に行うことができる。
【０１０６】
また、本実施形態に農作物の流通を管理する情報処理システム１は、記憶部４２は、前記農作物の鮮度に関する鮮度情報を更に記憶する。決定部４３２は、前記鮮度情報にも基づいて、前記出荷発注量を決定する。
これにより、農作物の鮮度に基づいて出荷を行うことで、在庫となっている農作物も鮮度を保ったままを出荷することができる。そのため、在庫のまま鮮度が低下した結果、出荷できなくなる農作物が発生する可能性を抑制することができる。従って、情報処理システム１は、出荷を効率的に行うことができる。
【０１０７】
［第２実施形態］
以下、図面を参照して、本発明の第２実施形態について詳しく説明する。本実施形態では、生産者が農作物を生産する場合の、生産者固有の情報にも基づいて、出荷割振を行う場合の変形例について説明する。
【０１０８】
農作物の場合、生産される全ての農作物が納品可能ではない場合がある。これは、例えば、通常通りに生産されたとしても、生産される農作物が納品の規格を満たさない場合である。また、例えば、天候不順などの理由によって、通常通りの生産が行えなくない場合には、出荷予定量を満たせなくなることがある。また、例えば、生産者によっては、出荷する農作物のうち、ある割合の農作物は規格を満たさないものが含まれている場合がある。このような場合であっても、予め上述したような情報を生産者情報に含むことで、上述したような情報についても考慮した出荷割振を行うことが可能になる。
【０１０９】
情報処理システム１ａの概略図は、第１実施形態の情報処理システム１（図１）において、サーバ装置４０をサーバ装置４０ａに代えたものである。以降、第１実施形態と同様の構成には、同一の符号を付与してここでの説明を省略する。
【０１１０】
図２０は、本実施形態に係るサーバ装置４０ａの構成例を示すブロック図である。
サーバ装置４０ａは、通信部４１、記憶部４２ａ、及び、処理部４３ａを含んで構成される。記憶部４２ａは、第１実施形態の記憶部４２（図５）と比較して、生産者情報記憶部４２４ａが記憶する情報が異なる。以下、生産者情報記憶部４２４ａについて説明する。
【０１１１】
生産者情報記憶部４２４ａは、生産者情報として、生産者の歩留まりに関する情報（生産者歩留まり情報）を関連付けて記憶する。生産者歩留まり情報とは、例えば、当該生産者が出荷する農作物のうち、規格を満たさない農作物の含有割合を示す情報である。生産者歩留まり情報には、生産者の生産手法などに基づく生産品質による普遍的なものと、それ以外のものがある。それ以外のものは、例えば、生産時の天候不順によって生じる温度や湿度の変化、圃場に存在する土、水、日照時間などの生育に影響を与える要素のために、規格を満たせない農作物が増える場合の、当該シーズンに関する規格を満たさない農作物の含有割合を示す情報が含まれる。
【０１１２】
処理部４３ａは、第１実施形態の処理部４３（図３）と比較して、決定部４３２ａが、決定部４３２と異なる。以下、決定部４３２ａが決定部４３２と異なる機能について説明する。
【０１１３】
決定部４３２ａは、出荷割振を決定する際、生産者情報記憶部４２４ａから生産者歩留まり情報を取得する。決定部４３２ａは、取得した生産者歩留まり情報と出荷予定量とを積算し、出荷予定量を補正する。決定部４３２ａは、補正した出荷予定量を用いて、出荷割振の処理及び、出荷割振の調整の処理を行う。出荷割振の処理、及び、出荷割振の調整の処理については、第１実施形態と同様であるので、ここでは説明を省略する。
【０１１４】
以上説明したように、本実施形態による農作物の流通を管理する情報処理システム１ａにおいて、記憶部４２ａは、前記農作物の生産の歩留率に関する歩留情報を更に記憶する。決定部４３２ａは、前記歩留情報にも基づいて、前記出荷発注量を決定する。
これにより、情報処理システム１ａは、生産時の歩留まり情報を考慮に入れた出荷割振を行うことで、農作物が規格を満たさない農作物があった場合でも、生産者と出荷の調整を何度も行うことなく、出荷予定量を出荷することができる。従って、情報処理システム１ａは、出荷を効率的に行うことができる。
【０１１５】
また、本実施形態による農作物の流通を管理する情報処理システム１ａは、前記歩留情報は、前記農作物の生産期間における天候に関する情報に基づく。
これにより、生産時期の天候不順などで生産量が変化することが想定される場合であっても、予めその情報を考慮に入れた上で、出荷割振を行うことができる。そのため出荷時に、想定と異なることによって必要となる調整を行う必要がなくなる。従って、情報処理システム１ａは、出荷を効率的に行うことができる。
【０１１６】
また、本実施形態による農作物の流通を管理する情報処理システム１ａは、前記歩留情報は、前記農作物の生産者の出荷品質に関する情報に基づく。
これにより、生産者毎に出荷規格に満たさない農作物の割合が異なっていたとしても、予めその情報を考慮に入れた上で、出荷割振を行うことができる。そのため出荷時に、出荷規格を満たさない農作物が生産者から出荷されてしまった場合に必要と出荷量の調整を行う必要がなくなる。従って、情報処理システム１ａは、出荷を効率的に行うことができる。
【０１１７】
また、本実施形態による農作物の流通を管理する情報処理システム１ａは、前記歩留情報は、前記農作物が生産される圃場に関する情報に基づく。
これにより、圃場の状態が通常と異なって通常通りの出荷ができない場合でも、予めその情報を考慮に入れた上で、出荷割振を行うことができる。そのため圃場の状態を考慮しない場合と比べ、出荷量の調整を行う必要が少なくなる。従って、情報処理システム１ａは、出荷を効率的に行うことができる。
【０１１８】
［第３実施形態］
以下、図面を参照して、本発明の第３実施形態について詳しく説明する。本実施形態では、農作物の発注を行う発注者からの、過去の受注時における、発注者固有の情報にも基づいて、出荷割振を行う場合の変形例について説明する。
【０１１９】
農作物の場合、出荷後納品されるまでの運搬中に出荷した農作物の状態が変化していまい、規格を満たさない農作物が生じることがある。また、納品された商品に対して、規格を満たしているかどうかを判定するのは、納品先の担当者や発注者であり、納品先の担当者又は発注者によって、その判定にばらつきが生じることがある。このような場合であっても、過去の受注において、納品した農作物に対し、納品先の担当者又は発注者が規格を満たさないと判定した割合を示す情報（「納品時歩留まり情報」とも称する、納品歩留情報の一例）を考慮することによって、上述したような条件についても考慮した出荷割振を行うことが可能になる。
【０１２０】
情報処理システム１ｂの概略図は、第１実施形態の情報処理システム１（図１）において、サーバ装置４０をサーバ装置４０ｂに代えたものである。以降、第１実施形態と同様の構成には、同一の符号を付与してここでの説明を省略する。
【０１２１】
図２１は、本実施形態に係るサーバ装置４０ｂの構成例を示すブロック図である。
サーバ装置４０ｂは、通信部４１、記憶部４２ｂ、及び、処理部４３ｂを含んで構成される。記憶部４２ｂは、第１実施形態の記憶部４２（図５）と比較して、発注者情報記憶部４２２ｂが記憶する情報が異なる。以下、発注者情報記憶部４２２ｂについて説明する。
【０１２２】
発注者情報記憶部４２２ｂは、発注者情報として、納品時歩留まり情報を関連付けて記憶する。納品時歩留まり情報は、得意先情報、納品先情報のどちらに関連付けされてもよい。
【０１２３】
処理部４３ｂは、第１実施形態の処理部４３（図３）と比較して、決定部４３２ｂが、決定部４３２と異なる。以下、決定部４３２ｂが決定部４３２と異なる機能について説明する。
【０１２４】
決定部４３２ｂは、出荷割振を決定する際、発注者情報記憶部４２２ｂから、当該受注に関連する納品時歩留まり情報を取得する。決定部４３２ｂは、納品時歩留まり情報を用いて、受注量を補正する。具体的には、決定部４３２ｂ受注量を、納品時歩留まり情報が示す割合分多くなるように補正を行う。決定部４３２ｂは、補正した受注量を用いて、出荷割振の処理及び、出荷割振の調整の処理を行う。出荷割振の処理、及び、出荷割振の調整の処理については、第１実施形態と同様であるので、ここでは説明を省略する。
【０１２５】
以上、説明したように、本実施形態による農作物の流通を管理する情報処理システム１ｂにおいて、記憶部４２ｂは、前記発注を行った発注者に前記農作物の納品する際の歩留率に関する納品歩留情報を記憶する。決定部４３２ｂは、前記納品歩留情報にも基づいて、前記出荷発注量を決定する。
これにより、情報処理システム１ｂは、納品時の歩留まり情報を考慮に入れた出荷割振を行うことで、納品時に農作物が規格を満たさない農作物があった場合でも、予め香料に入れて多めに納品することで、不足分の再発送などの手間を省くことができる。従って、情報処理システム１ｂは、出荷を効率的に行うことができる。
【０１２６】
［第４実施形態］
以下、図面を参照して、本発明の第４実施形態について詳しく説明する。本実施形態では、農作物の発注を行う発注者に対し、生産者から出荷される農作物の情報に基づいて、発注者に配送するための配送伝票を作成する場合の変形例について説明する。
【０１２７】
情報処理システム１ｃの概略図は、第１実施形態の情報処理システム１（図１）において、サーバ装置４０をサーバ装置４０ｃに代えたものである。以降、第１実施形態と同様の構成には、同一の符号を付与してここでの説明を省略する。
【０１２８】
図２２は、本実施形態に係るサーバ装置４０ｃの構成例を示すブロック図である。
サーバ装置４０ｃは、通信部４１、記憶部４２ｃ、及び、処理部４３ｃを含んで構成される。記憶部４２ｃは、第１実施形態の記憶部４２（図５）と比較して、配送伝票記憶部４２７ｃを備える点が異なる。以下、配送伝票記憶部４２７ｃについて説明する。
【０１２９】
配送伝票記憶部４２７ｃは、受注ＩＤ毎に、発注先を示す発注先情報と、発注先に配送する出荷物を示す出荷物情報をと関連付けた情報（配送伝票情報）を記憶する。ここでの発注先は、得意先であってもよいし、納品先であってもよい。
【０１３０】
処理部４３ｃは、第１実施形態の処理部４３（図３）と比較して、配送伝票生成部４３５ｃを備える点が、処理部４３と異なる。以下、配送伝票生成部４３５ｃの機能について説明する。
【０１３１】
配送伝票生成部４３５ｃは、割振情報記憶部４２６から、状況が“確定”となった調整情報を読み出す。また、配送伝票生成部４３５ｃは、受注情報記憶部４２３、農作物情報記憶部４２１、発注者情報記憶部４２２から、それぞれ受注情報、農作物情報、発注者情報を読み出す。配送伝票生成部４３５ｃは、調整情報と受注情報から、状況が“確定”となった、受注情報を選択する。配送伝票生成部４３５ｃは、選択した受注情報と、発注者情報と、農作物情報とに基づいて、出荷する農作物についての情報を示す出荷物情報と、発注先を示す発注先情報とを対応付ける。配送伝票生成部４３５ｃは、対応付けた情報に基づいて、配送伝票情報を生成し、配送伝票記憶部４２７ｃに記憶させる。また、配送伝票生成部４３５ｃは、配送伝票記憶部４２７ｃから配送伝票情報を読み出し、図示せぬ配送伝票印刷機に配送伝票情報を送信させてもよい。この場合、配送伝票印刷機は、受信した配送伝票情報を印刷し、配送伝票を生成する。
【０１３２】
以上、説明したように、本実施形態による農作物の流通を管理する情報処理システム１ｃにおいて、記憶部４２ｃは、前記出荷調整生産者からの出荷物に関する出荷物情報を更に記憶する。前記発注情報は、前記発注を行った発注者に関する発注者情報を含む。配送伝票記憶部４２７ｃは、前記出荷物情報と前記発注者情報とに基づいて、前記発注者に配送するための配送伝票を生成する。
これにより、情報処理システム１ｃは、出荷物情報と発注者情報とに基づいて、発送伝票を予め作成することができる。そのため、出荷時には配送伝票がすでに作成されている。従って、情報処理システム１ｃは、出荷を効率的に行うことができる。
【０１３３】
なお、上述した各実施形態では、管理端末３０は、調整依頼情報に対して割振調整情報を送信する例を説明したが、管理端末３０の機能はこれだけに限られない。例えば、管理端末３０のユーザが、発注者からファクシミリを用いた通信、電話（固定電話、携帯電話など）を用いた通話などによって、受注したあと、受注した情報を入力部３２から入力し、サーバ装置４０に送信してもよい。また、管理端末３０のユーザが、生産情報、回答情報などの情報を、生産者からファクシミリを用いた通信、電話（固定電話、携帯電話など）を用いた通話などによって受け取り、受け取った情報を、入力部３２から入力し、サーバ装置４０に送信してもよい。また、上述の場合、サーバ装置４０から発注者、生産者に送信される情報については、サーバ装置４０は管理端末３０に送信してもよい。管理端末３０のユーザは、受信した情報に基づいて、当該情報を、ファクシミリを用いた通信、電話（固定電話、携帯電話など）を用いた通話などによって発注者あるいは生産者に伝える。
【０１３４】
また、上述した各実施形態では、在庫割当は、受注差異が負の場合にのみ実施される例を説明したが、これには限られない。例えば、受注差異が負でない場合であっても、在庫情報に当該農作物に関する在庫情報が存在する場合には、在庫割当を行うようにしてもよい。この場合、在庫割当を優先的に行うことで、出荷日に出荷される農作物については、在庫に登録される量が増えてもよい。また、受注数についても、在庫情報を考慮して受注上限を決定してもよい。
【０１３５】
また、上述した各実施形態では、発注者端末１０、生産者端末２０が、サーバ装置４０から、受注情報、生産情報を入力するための情報を取得したが、これには限られない。例えば、それぞれの端末に上述した情報を予め備えてもよい。
【０１３６】
また、上述した各実施形態における情報処理システム１の一部、例えば、処理部４３などをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、情報処理システム１に内蔵されたコンピュータシステムであって、ＯＳ（Ｏｐｅｒａｔｉｎｇ  Ｓｙｓｔｅｍ）や周辺機器等のハードウェアを含むものとする。
【０１３７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１３８】
また、上述した実施形態における処理部４３の一部、または全部を、ＬＳＩ（Ｌａｒｇｅ  Ｓｃａｌｅ  Ｉｎｔｅｇｒａｔｉｏｎ）等の集積回路として実現してもよい。処理部４３の各機能部は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１３９】
以上、図面を参照してこの発明の実施形態について詳しく説明してきたが、具体的な構成は上述のものに限られることはなく、この発明の要旨を逸脱しない範囲内において様々な設計変更等をすることが可能である。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【符号の説明】
【０１４０】
１・・・情報処理システム、１０・・・発注者端末、２０・・・生産者端末、３０・・・管理端末、４０・・・サーバ装置、１１、２１、３１、４１・・・通信部、１２、２２、３２・・入力部、１３、        ２３、３３、４２、４２ａ、４２ｂ、４２ｃ・・・記憶部、１４、２４、３４、４３ａ、４３ｂ、４３ｃ・・・処理部、１５、２５、３５・・・表示部、４２１・・・農作物情報記憶部、４２２・・・発注者情報記憶部、４２３・・・受注情報記憶部、４２４・・・生産者情報記憶部、４２５・・・生産情報記憶部、４２６・・・割振情報記憶部、４２７ｃ・・・配送伝票記憶部、４３１・・・情報取得部、４３２・・・決定部、４３３・・・送信情報生成部、４３４・・・出力処理部、４３５ｃ・・・配送伝票生成部
【図１】
2020135633.tif 000003
【図２】
2020135633.tif 000004
【図３】
2020135633.tif 000005
【図４】
2020135633.tif 000006
【図５】
2020135633.tif 000007
【図６】
2020135633.tif 000008
【図７】
2020135633.tif 000009
【図８】
2020135633.tif 000010
【図９】
2020135633.tif 000011
【図１０】
2020135633.tif 000012
【図１１】
2020135633.tif 000013
【図１２】
2020135633.tif 000014
【図１３】
2020135633.tif 000015
【図１４】
2020135633.tif 000016
【図１５】
2020135633.tif 000017
【図１６】
2020135633.tif 000018
【図１７】
2020135633.tif 000019
【図１８】
2020135633.tif 000020
【図１９】
2020135633.tif 000021
【図２０】
2020135633.tif 000022
【図２１】
2020135633.tif 000023
【図２２】
2020135633.tif 000024